(57)【特許請求の範囲】
【請求項１】
カラオケ曲の選曲に用いられる選曲装置と、カラオケ曲を演奏するカラオケ装置と、携帯機器がネットワークを介して接続されるサーバ装置と、を備えるカラオケ採点システムにおいて、
前記サーバ装置は、
前記携帯機器のユーザを識別するためのユーザ識別情報であって前記選曲装置から入力された前記ユーザ識別情報と、当該選曲装置に対応付けられた前記カラオケ装置を識別するためのカラオケ装置識別情報とを、前記選曲装置又は前記カラオケ装置から受信する第１受信手段と、
前記第１受信手段により受信された前記ユーザ識別情報と前記カラオケ装置識別情報とを対応付けた対応付け情報を記録する第１記録手段と、
前記携帯機器のユーザを識別するためのユーザ識別情報を前記携帯機器から受信する第２受信手段と、
前記第２受信手段により受信されたユーザ識別情報に対応するユーザ識別情報が前記対応付け情報に含まれる場合、当該ユーザ識別情報により識別される前記ユーザのログインを許可し、当該ユーザがログイン中であることを示すログイン情報を記録する第２記録手段と、
前記カラオケ装置から前記カラオケ曲の演奏終了が通知された場合に、当該カラオケ装置の前記カラオケ装置識別情報に対応付けられた前記ユーザ識別情報により識別されるユーザであってログイン中である前記ユーザで、且つ前記カラオケ曲の演奏開始時にログイン中であった前記ユーザが使用する前記携帯機器を特定する特定手段と、
前記特定手段により特定された携帯機器に、前記カラオケ曲の演奏中の歌唱に対する採点入力を行うための採点入力画面を表示させる制御手段と、
前記携帯機器に表示された前記採点入力画面を通じて入力された採点を示す採点情報を前記携帯機器から受信する第３受信手段と、
を備えることを特徴とするカラオケ採点システム。
【請求項２】
前記サーバ装置は、前記第３受信手段により受信された前記採点情報を前記演奏終了を通知した前記カラオケ装置へ送信する第１送信手段と、
を備え、
前記カラオケ装置は、
前記サーバ装置から送信された前記採点情報を受信する第４受信手段と、
前記第４受信手段により受信された前記採点情報を、当該カラオケ装置に対応付けられた前記選曲装置へ送信する第２送信手段と、
を備え、
前記選曲装置は、
前記カラオケ装置から送信された前記採点情報を受信する第５受信手段と、
前記第５受信手段により受信された前記採点情報を集計する集計手段と、
前記集計手段により集計された集計結果を出力する出力手段と、
を備えることを特徴とする請求項１に記載のカラオケ採点システム。
【請求項３】
前記カラオケ装置から前記カラオケ曲の演奏終了が通知される際に、当該カラオケ曲の演奏中に歌唱したユーザの前記ユーザ識別情報が通知され、前記特定手段は、当該通知されたユーザ識別情報に基づき、前記歌唱したユーザ以外の前記ユーザが使用する前記携帯機器を特定することを特徴とする請求項１又は２に記載のカラオケ採点システム。
【請求項４】
カラオケ曲の選曲に用いられる選曲装置と、カラオケ曲を演奏するカラオケ装置と、携帯機器がネットワークを介して接続されるサーバ装置と、を備えるカラオケ採点システムにおいて、
前記サーバ装置は、
前記携帯機器のユーザを識別するためのユーザ識別情報であって前記選曲装置から入力された前記ユーザ識別情報と、当該選曲装置に対応付けられた前記カラオケ装置を識別するためのカラオケ装置識別情報とを、前記選曲装置又は前記カラオケ装置から受信する第１受信手段と、
前記第１受信手段により受信された前記ユーザ識別情報と前記カラオケ装置識別情報とを対応付けた対応付け情報を記録する第１記録手段と、
前記携帯機器のユーザを識別するためのユーザ識別情報を前記携帯機器から受信する第２受信手段と、
前記第２受信手段により受信されたユーザ識別情報に対応するユーザ識別情報が前記対応付け情報に含まれる場合、当該ユーザ識別情報により識別される前記ユーザのログインを許可し、当該ユーザがログイン中であることを示すログイン情報を記録する第２記録手段と、
前記カラオケ装置から前記カラオケ曲の演奏終了が通知された場合に、当該カラオケ装置の前記カラオケ装置識別情報に対応付けられた前記ユーザ識別情報により識別されるユーザで、且つログイン中である前記ユーザが使用する前記携帯機器を特定する特定手段と、
前記特定手段により特定された携帯機器に、前記カラオケ曲の演奏中の歌唱に対する採点入力を行うための採点入力画面を表示させる制御手段と、
前記携帯機器に表示された前記採点入力画面を通じて入力された採点を示す採点情報を前記携帯機器から受信する第３受信手段と、
前記カラオケ曲の演奏開始から演奏終了までの間にログインしているユーザごとにログイン時間を計測する算出手段と、
を備え、
前記特定手段は、前記カラオケ装置識別情報に対応付けられた前記ユーザ識別情報により識別されるユーザで、且つログイン中である前記ユーザの人数が所定人数より多い場合に、前記算出手段により算出されたログイン時間の長いユーザを優先して前記所定人数選定し、当該選定したユーザが使用する前記携帯機器を特定することを特徴とするカラオケ採点システム。
【請求項５】
カラオケ曲の選曲に用いられる選曲装置と、カラオケ曲を演奏するカラオケ装置と、携帯機器がネットワークを介して接続されるサーバ装置と、を備えるカラオケ採点システムにおいて前記サーバ装置に含まれるコンピュータに、
前記携帯機器のユーザを識別するためのユーザ識別情報であって前記選曲装置から入力された前記ユーザ識別情報と、当該選曲装置に対応付けられた前記カラオケ装置を識別するためのカラオケ装置識別情報とを、前記選曲装置又は前記カラオケ装置から受信するステップと、
前記受信された前記ユーザ識別情報と前記カラオケ装置識別情報とを対応付けた対応付け情報を記録するステップと、
前記携帯機器のユーザを識別するためのユーザ識別情報を前記携帯機器から受信するステップと、
前記受信されたユーザ識別情報に対応するユーザ識別情報が前記対応付け情報に含まれる場合、当該ユーザ識別情報により識別される前記ユーザのログインを許可し、当該ユーザがログイン中であることを示すログイン情報を記録するステップと、
前記カラオケ装置から前記カラオケ曲の演奏終了が通知された場合に、当該カラオケ装置の前記カラオケ装置識別情報に対応付けられた前記ユーザ識別情報により識別されるユーザであってログイン中である前記ユーザで、且つ前記カラオケ曲の演奏開始時にログイン中であった前記ユーザが使用する前記携帯機器を特定するステップと、
前記特定された携帯機器に、前記カラオケ曲の演奏中の歌唱に対する採点入力を行うための採点入力画面を表示させるステップと、
前記携帯機器に表示された前記採点入力画面を通じて入力された採点を示す採点情報を前記携帯機器から受信するステップと、
を実行させることを特徴とするサーバプログラム。
【発明の詳細な説明】
【技術分野】
【０００１】
本発明は、カラオケ曲の選曲に用いられるリモコンと、カラオケ曲を演奏するカラオケ装置と、携帯機器がネットワークを介して接続されるサーバ装置と、を備えるカラオケシステムの技術分野に関する。
【背景技術】
【０００２】
近年、カラオケ曲の歌唱者以外の複数の同席者が、リモコンから歌唱者の歌唱について採点入力することで総合得点が算出され表示部に表示されるカラオケシステムが知られている。しかしながら、採点入力するためのリモコンは、カラオケルームに１〜２台程度しか設置されていないため、多人数で採点を行う場合、採点入力をするためにリモコンが空くのを待つ必要があった。一方、特許文献１には、カラオケ曲の演奏の際に歌唱者以外の複数の同席者それぞれが所持するパーソナル通信端末であってカラオケ装置と関連付けられたパーソナル通信端末に採点入力許可情報を送信して採点入力画面を表示する歌唱採点システムが開示されている。この歌唱採点システムでは、各パーソナル通信端末に表示された採点入力画面から、各パーソナル通信端末の所持者が歌唱者の歌唱に対する採点入力を行うと、その平均値が算出されて各パーソナル通信端末に表示されるようになっている。
【先行技術文献】
【特許文献】
【０００３】
【特許文献１】特開２００９−２８８６８４号公報
【発明の概要】
【発明が解決しようとする課題】
【０００４】
しかしながら、上述した従来の歌唱採点システムでは、カラオケ曲の演奏開始時に、カラオケ装置と関連付けられたパーソナル通信端末に採点入力許可情報を送信する。このため、カラオケ曲の演奏開始タイミングに当該カラオケ曲と関連付けされていなかったパーソナル通信端末のユーザ（例えば、途中入室したユーザや、たまたま演奏開始時にトイレ等で席をはずしていたユーザ）は、他のユーザが採点入力している際に採点入力することができないという問題があった。
【０００５】
そこで、本発明は、以上の点等に鑑みてなされたものであり、各ユーザが採点入力待ちをすることなく、演奏開始時に席をはずしていたユーザであっても採点入力を行うことが可能なカラオケ採点システム及びサーバプログラムを提供すること等を課題とする。
【課題を解決するための手段】
【０００６】
上記課題を解決するために、請求項１に記載の発明は、カラオケ曲の選曲に用いられる選曲装置と、カラオケ曲を演奏するカラオケ装置と、携帯機器がネットワークを介して接続されるサーバ装置と、を備えるカラオケ採点システムにおいて、前記サーバ装置は、前記携帯機器のユーザを識別するためのユーザ識別情報であって前記選曲装置から入力された前記ユーザ識別情報と、当該選曲装置に対応付けられた前記カラオケ装置を識別するためのカラオケ装置識別情報とを、前記選曲装置又は前記カラオケ装置から受信する第１受信手段と、前記第１受信手段により受信された前記ユーザ識別情報と前記カラオケ装置識別情報とを対応付けた対応付け情報を記録する第１記録手段と、前記携帯機器のユーザを識別するためのユーザ識別情報を前記携帯機器から受信する第２受信手段と、前記第２受信手段により受信されたユーザ識別情報に対応するユーザ識別情報が前記対応付け情報に含まれる場合、当該ユーザ識別情報により識別される前記ユーザのログインを許可し、当該ユーザがログイン中であることを示すログイン情報を記録する第２記録手段と、前記カラオケ装置から前記カラオケ曲の演奏終了が通知された場合に、当該カラオケ装置の前記カラオケ装置識別情報に対応付けられた前記ユーザ識別情報により識別されるユーザであってログイン中である前記ユーザで、且つ前記カラオケ曲の演奏開始時にログイン中であった前記ユーザが使用する前記携帯機器を特定する特定手段と、前記特定手段により特定された携帯機器に、前記カラオケ曲の演奏中の歌唱に対する採点入力を行うための採点入力画面を表示させる制御手段と、前記携帯機器に表示された前記採点入力画面を通じて入力された採点を示す採点情報を前記携帯機器から受信する第３受信手段と、を備えることを特徴とする。
【０００７】
請求項２に記載の発明は、請求項１に記載のカラオケ採点システムにおいて、前記サーバ装置は、前記第３受信手段により受信された前記採点情報を前記演奏終了を通知した前記カラオケ装置へ送信する第１送信手段と、を備え、前記カラオケ装置は、前記サーバ装置から送信された前記採点情報を受信する第４受信手段と、前記第４受信手段により受信された前記採点情報を、当該カラオケ装置に対応付けられた前記選曲装置へ送信する第２送信手段と、を備え、前記選曲装置は、前記カラオケ装置から送信された前記採点情報を受信する第５受信手段と、前記第５受信手段により受信された前記採点情報を集計する集計手段と、前記集計手段により集計された集計結果を出力する出力手段と、を備えることを特徴とする。
【０００８】
請求項３に記載の発明は、請求項１又は２に記載のカラオケ採点システムにおいて、前記カラオケ装置から前記カラオケ曲の演奏終了が通知される際に、当該カラオケ曲の演奏中に歌唱したユーザの前記ユーザ識別情報が通知され、前記特定手段は、当該通知されたユーザ識別情報に基づき、前記歌唱したユーザ以外の前記ユーザが使用する前記携帯機器を特定することを特徴とする。
【０００９】
請求項４に記載の発明は、カラオケ曲の選曲に用いられる選曲装置と、カラオケ曲を演奏するカラオケ装置と、携帯機器がネットワークを介して接続されるサーバ装置と、を備えるカラオケ採点システムにおいて、前記サーバ装置は、前記携帯機器のユーザを識別するためのユーザ識別情報であって前記選曲装置から入力された前記ユーザ識別情報と、当該選曲装置に対応付けられた前記カラオケ装置を識別するためのカラオケ装置識別情報とを、前記選曲装置又は前記カラオケ装置から受信する第１受信手段と、前記第１受信手段により受信された前記ユーザ識別情報と前記カラオケ装置識別情報とを対応付けた対応付け情報を記録する第１記録手段と、前記携帯機器のユーザを識別するためのユーザ識別情報を前記携帯機器から受信する第２受信手段と、前記第２受信手段により受信されたユーザ識別情報に対応するユーザ識別情報が前記対応付け情報に含まれる場合、当該ユーザ識別情報により識別される前記ユーザのログインを許可し、当該ユーザがログイン中であることを示すログイン情報を記録する第２記録手段と、前記カラオケ装置から前記カラオケ曲の演奏終了が通知された場合に、当該カラオケ装置の前記カラオケ装置識別情報に対応付けられた前記ユーザ識別情報により識別されるユーザで、且つログイン中である前記ユーザが使用する前記携帯機器を特定する特定手段と、前記特定手段により特定された携帯機器に、前記カラオケ曲の演奏中の歌唱に対する採点入力を行うための採点入力画面を表示させる制御手段と、前記携帯機器に表示された前記採点入力画面を通じて入力された採点を示す採点情報を前記携帯機器から受信する第３受信手段と、前記カラオケ曲の演奏開始から演奏終了までの間にログインしているユーザごとにログイン時間を計測する算出手段と、を備え、前記特定手段は、前記カラオケ装置識別情報に対応付けられた前記ユーザ識別情報により識別されるユーザで、且つログイン中である前記ユーザの人数が所定人数より多い場合に、前記算出手段により算出されたログイン時間の長いユーザを優先して前記所定人数選定し、当該選定したユーザが使用する前記携帯機器を特定することを特徴とする。
【００１０】
請求項５に記載の発明は、カラオケ曲の選曲に用いられる選曲装置と、カラオケ曲を演奏するカラオケ装置と、携帯機器がネットワークを介して接続されるサーバ装置と、を備えるカラオケ採点システムにおいて前記サーバ装置に含まれるコンピュータに、前記携帯機器のユーザを識別するためのユーザ識別情報であって前記選曲装置から入力された前記ユーザ識別情報と、当該選曲装置に対応付けられた前記カラオケ装置を識別するためのカラオケ装置識別情報とを、前記選曲装置又は前記カラオケ装置から受信するステップと、前記受信された前記ユーザ識別情報と前記カラオケ装置識別情報とを対応付けた対応付け情報を記録するステップと、前記携帯機器のユーザを識別するためのユーザ識別情報を前記携帯機器から受信するステップと、前記受信されたユーザ識別情報に対応するユーザ識別情報が前記対応付け情報に含まれる場合、当該ユーザ識別情報により識別される前記ユーザのログインを許可し、当該ユーザがログイン中であることを示すログイン情報を記録するステップと、前記カラオケ装置から前記カラオケ曲の演奏終了が通知された場合に、当該カラオケ装置の前記カラオケ装置識別情報に対応付けられた前記ユーザ識別情報により識別されるユーザであってログイン中である前記ユーザで、且つ前記カラオケ曲の演奏開始時にログイン中であった前記ユーザが使用する前記携帯機器を特定するステップと、前記特定された携帯機器に、前記カラオケ曲の演奏中の歌唱に対する採点入力を行うための採点入力画面を表示させるステップと、前記携帯機器に表示された前記採点入力画面を通じて入力された採点を示す採点情報を前記携帯機器から受信するステップと、を実行させることを特徴とする。
【発明の効果】
【００１２】
請求項１に記載の発明によれば、カラオケ装置からカラオケ曲の演奏終了が通知された場合に、当該カラオケ装置のカラオケ装置識別情報に対応付けられたユーザ識別情報により識別されるユーザで、且つログイン中であるユーザが使用する携帯機器に、カラオケ曲の演奏中の歌唱に対する採点入力を行うための採点入力画面を表示させるように構成したので、各ユーザが採点入力待ちをすることなく、演奏開始時に席をはずしていたユーザであっても採点入力を行うことができ、さらに、採点対象曲をフルコーラス聴いたと思われるユーザにのみ採点してもらうことで、採点精度を上げることができる。
【００１３】
請求項２に記載の発明によれば、選曲装置から入力された採点と、携帯機器から入力された採点とを合わせて集計することができる。
【００１４】
請求項３に記載の発明によれば、歌唱者が自身の採点を行うことを防止することができる。
【００１６】
請求項４に記載の発明によれば、ログイン中であるユーザが多くて全員が採点入力するまで時間がかかる場合、より長い時間曲を聴いている人を優先して審査員になってもらうことで採点集計待ち時間を減らしつつ、より精度の高い採点をしてもらうことができる。
【図面の簡単な説明】
【００１８】
【図１】本実施形態に係るカラオケシステムＳの概要構成例を示す図である。
【図２】（Ａ）は、リモコン１の概要構成例を示すブロック図である。（Ｂ）は、コマンダ２の概要構成例を示すブロック図である。（Ｃ）は、管理サーバ３の概要構成例を示すブロック図である。（Ｄ）は、携帯端末Ｔｎの概要構成例を示すブロック図である。
【図３】コマンダ２と携帯端末Ｔｎとのくくり付け動作を示すシーケンス図である。
【図４】採点入力と採点集計動作を示すシーケンス図である。
【図５】リモコン１における採点情報受付及び採点集計処理の詳細を示すフローチャートである。
【発明を実施するための形態】
【００１９】
以下、本発明の実施形態を図面に基づいて説明する。なお、以下に説明する実施の形態は、例えばカラオケ店舗において利用されるカラオケシステムに対して、本発明のカラオケ採点システムを適用した場合の実施形態である。
【００２０】
［１．カラオケシステムの構成及び動作の概要］  
始めに、図１を参照して、本実施形態に係るカラオケシステムの構成の概要について説明する。図１は、本実施形態に係るカラオケシステムＳの概要構成例を示す図である。なお、図１に示す例では、説明の便宜上、カラオケ店舗のカラオケルーム（客室）を１室のみ示し、リモコン１及びカラオケ装置２を夫々１台ずつ示している。なお、カラオケ装置を、以下、「コマンダ」という。
【００２１】
図１に示すように、カラオケシステムＳは、リモコン１、コマンダ２、及び管理サーバ３を含んで構成される。管理サーバ３には、カラオケ店舗の利用者であるユーザにより所有される携帯端末Ｔｎ（ｎ＝１、２、３、４）が携帯基地局Ｂ及びネットワークＮＷを介して接続可能になっている。ネットワークＮＷは、例えば、インターネット、携帯通信網、及びゲートウェイ等により構成される。
【００２２】
リモコン１は、カラオケ曲（楽曲）の選曲に用いられる選曲装置である。なお、リモコン１は、ナビ端末又は検索端末ともいう。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされる。
【００２３】
図２（Ａ）は、リモコン１の概要構成例を示すブロック図である。図２（Ａ）に示すように、リモコン１は、制御部１１、記憶部１２、ビデオＲＡＭ１３、映像制御部１４、表示部１５、操作部１６、操作処理部１７、赤外線送信部１８、及び無線ＬＡＮ（Local Area Network）通信部１９等を備えて構成される。制御部１１は、ＣＰＵ、ＲＯＭ、及びＲＡＭ等により構成される。記憶部１２は、例えば、不揮発性半導体メモリ等により構成される。記憶部１２には、ＯＳ（オペレーティングシステム）及びリモコン処理プログラムが記憶されている。制御部１１は、ＯＳ及びリモコン処理プログラムを実行することにより、リモコン１全体を統括制御する。また、記憶部１２には、選曲対象となるカラオケ曲の情報を登録する楽曲リストが記憶されている。カラオケ曲の情報には、カラオケ曲番号、曲名、及び歌手名等が含まれる。カラオケ曲番号は、カラオケ曲ごとに付与される。カラオケ曲番号は、曲ＩＤともいう。この楽曲リストに含まれるカラオケ曲の曲名等は、制御部１１により、ビデオＲＡＭ１３及び映像制御部１４を介して表示部１５に選択可能に表示される。また、制御部１１は、ユーザによる操作部１６からの指示を、操作処理部１７を介して受け付ける。ユーザによる指示としては、ユーザＩＤ等の入力、又はカラオケ曲の選曲、音量調整等の指示がある。また、制御部１１は、赤外線送信部１８を介してコマンダ２の赤外線受信部２９ｃへ各種指令を送信することができる。例えば、ユーザにより操作部１６から選曲されたカラオケ曲の予約指令が送信される。また、無線ＬＡＮ通信部１９は、例えばIEEE 802.11の諸規格に準拠する無線ＬＡＮの通信（例えばWi-Fi）を行うためのものである。これにより、制御部１１は、無線ＬＡＮ通信部１９により無線ＬＡＮのアクセスポイントＡＰ、及び有線ＬＡＮを介してコマンダ２と通信を行うことができる。制御部１１は、ユーザにより操作部１６から選曲されたカラオケ曲の予約指令を、無線ＬＡＮ通信部１９を介して送信することもできる。つまり、選曲されたカラオケ曲の予約指令は、無線ＬＡＮ及び有線ＬＡＮを介して、リモコン１とくくり付け状態にあるコマンダ２へ送信される。ここで、リモコン１は、同じカラオケルーム内に設置されたコマンダ２との間でくくり付けが行われている。なお、くくり付けは、対応付け、又はペアリングとも呼ばれる。記憶部１２には、リモコン１のリモコンＩＤと、このリモコン１にくくり付け状態にあるコマンダ２のコマンダＩＤとが対応付けられて記憶されている。なお、記憶部１２には、管理サーバ３のＩＰアドレスも記憶されている。これにより、リモコン１は、無線ＬＡＮ、有線ＬＡＮ、ルータＲ及びインターネットを介して管理サーバ３へアクセスし、通信することができる。
【００２４】
次に、コマンダ２は、予約されたカラオケ曲を演奏する演奏装置である。コマンダＩＤは、コマンダ２を識別するためのカラオケ装置識別情報の一例である。コマンダＩＤは、コマンダ２を一意に特定できる情報であれば、どのような情報であってもよいが、例えばコマンダ２に割り当てられたＩＰアドレスがコマンダＩＤとされる。
【００２５】
図２（Ｂ）は、コマンダ２の概要構成例を示すブロック図である。図２（Ｂ）に示すように、コマンダ２は、制御部２１、記憶部２２、ビデオＲＡＭ２３、映像再生部２４、映像制御部２５、マイク制御部２６、シンセサイザ２７、ミキシングアンプ２８、操作部２９ａ、操作処理部２９ｂ、赤外線受信部２９ｃ、及びＬＡＮ通信部２９ｄ等を備えて構成される。制御部２１は、ＣＰＵ、ＲＯＭ、及びＲＡＭ等により構成される。記憶部２２は、例えば、ハードディスク等により構成される。記憶部２２には、ＯＳ及びコマンダ処理プログラムが記憶されている。制御部２１は、ＯＳ及びコマンダ処理プログラムを実行することにより、コマンダ２全体を統括制御する。また、記憶部２２には、演奏予約されたカラオケ曲の演奏予約リストが記憶されている。この演奏予約リストには、例えば、カラオケ曲番号が予約順に記録（登録）される。また、記憶部２２には、カラオケ曲に対応する楽曲データ、及び映像データ等が記憶される。シンセサイザ２７は、楽曲データを用いてカラオケ曲の演奏を行い、演奏信号をミキシングアンプ２８へ出力する。また、マイク制御部２６は、マイクにより集音されたユーザの歌唱音声信号をミキシングアンプ２８へ出力する。ミキシングアンプ２８は、演奏信号と歌唱音声信号とをミキシングしてスピーカへ出力する。また、映像データ等はビデオＲＡＭ２３及び映像再生部２４により再生される。そして、映像制御部２５は、再生された映像信号をディスプレイへ出力する。また、制御部２１は、ユーザによる操作部２９ａからの指示を、操作処理部２９ｂを介して受け付ける。また、制御部２１は、赤外線受信部２９ｃを介して、リモコン１からの各種指令を受信することができる。例えば、制御部２１は、リモコン１から予約指令を受信すると、カラオケ曲の予約を受け付ける。この予約指令には、予約対象のカラオケ曲のカラオケ曲番号が含まれる。そして、制御部２１は、予約を受け付けたカラオケ曲のカラオケ曲番号を演奏予約リストに登録する。また、制御部２１は、ＬＡＮ通信部２９ｄを介して、コマンダ２とくくり付け状態にあるリモコン１からカラオケ曲の予約指令を受け付けることもできる。また、記憶部２２には、コマンダ２のコマンダＩＤと、このコマンダ２とくくり付け状態にあるリモコン１のリモコンＩＤとが対応付けられて記憶されている。なお、記憶部２２には、管理サーバ３のＩＰアドレスも記憶されている。これにより、コマンダ２は、有線ＬＡＮ、ルータＲ及びインターネットを介して管理サーバ３へアクセスし、通信することができる。更に、制御部２１は、携帯端末Ｔｎのユーザのログイン期間中、携帯端末Ｔｎにおいて選曲されたカラオケ曲の予約を、管理サーバ３を介して受け付け、カラオケ曲番号を演奏予約リストに記録するようになっている。
【００２６】
次に、管理サーバ３は、本発明のサーバ装置の一例である。管理サーバ３は、インターネットに接続されており、Ｗｅｂサーバとしての機能を有する。
【００２７】
図２（Ｃ）は、管理サーバ３の概要構成例を示すブロック図である。図２（Ｃ）に示すように、管理サーバ３は、制御部３１、記憶部３２、及び通信部３３等を備えて構成される。制御部３１は、ＣＰＵ、ＲＯＭ、及びＲＡＭ等により構成される。記憶部３２は、例えば、ハードディスク等により構成される。記憶部３２には、ＯＳ及びサーバプログラム等が記憶されている。制御部３１は、ＯＳ及びサーバプログラムを実行することにより、管理サーバ３全体を制御する。また、制御部３１は、本発明における第１受信手段、第２受信手段、第３受信手段、第１記録手段、第２記録手段、特定手段、制御手段、第１送信手段、及び算出手段等として機能し、後述する処理を行う。
【００２８】
更に、記憶部３２には、登録ユーザリスト、ログインユーザリスト、及びコマンダ対応付けリストが記憶されている。登録ユーザリストは、会員登録されたユーザのユーザ情報を記録（登録）するリストである。このユーザ情報には、ユーザＩＤ、パスワード、氏名、ユーザが使用する携帯端末Ｔｎの電話番号、及びメールアドレス等が含まれる。ここで、ユーザＩＤは、ユーザを識別するためのユーザ識別情報の一例である。ログインユーザリストは、会員登録されたユーザのログイン有無を記録するリストである。例えば、ログインユーザリストには、ユーザＩＤ、ログインフラグ、及びログイン履歴が対応付けられて記録される。例えば、ログインフラグが「１」のときは、ユーザがログイン中であることを示す。一方、ログインフラグが「０」のときは、ユーザがログアウトしたことを示す。ログイン履歴には、ユーザのログイン時刻及びログアウト時刻が含まれる。また、コマンダ対応付けリストは、コマンダＩＤとユーザＩＤとを対応付けた対応付け情報を記録するリストである。さらに、対応付け情報に含まれるコマンダＩＤにより識別されるコマンダ２に携帯端末Ｔｎがくくり付けられる場合、コマンダ対応付けリストには、対応付け情報に含まれるコマンダＩＤにこの携帯端末Ｔｎの携帯端末ＩＤが対応付けられて記録される。この携帯端末ＩＤは、携帯端末Ｔｎを識別するための識別情報である。携帯端末ＩＤは、例えば、携帯端末Ｔｎに割り当てられたＩＰアドレスと電話番号とから構成される。なお、ユーザがログアウトした場合、コマンダ対応付けリストにおけるコマンダＩＤとユーザＩＤと携帯端末ＩＤとの対応付けは解除される。例えば、ログアウトされたユーザＩＤを含む対応付け情報及びこれに対応付けられた携帯端末ＩＤがコマンダ対応付けリストから削除される。
【００２９】
次に、携帯端末Ｔｎは、本発明における携帯機器の一例である。携帯端末Ｔｎの例としては、スマートフォン、携帯電話機、又はタブレット等が挙げられる。
【００３０】
図２（Ｄ）は、携帯端末Ｔｎの概要構成例を示すブロック図である。図２（Ｄ）に示すように、携帯端末Ｔｎは、制御部４１、記憶部４２、表示部４３、操作部４４、スピーカ４５、マイク４６、及び携帯無線通信部４７等を備えて構成される。制御部４１は、ＣＰＵ、ＲＯＭ、及びＲＡＭ等により構成される。記憶部４２は、例えば、不揮発性半導体メモリ等により構成される。記憶部４２には、ＯＳ及び端末処理プログラム等が記憶されている。制御部４１は、ＯＳ及び端末処理プログラムを実行することにより、携帯端末Ｔｎ全体を制御する。端末処理プログラムには、カラオケ用アプリケーションプログラムが含まれる。カラオケ用アプリケーションプログラムは、本発明の携帯機器用プログラムの一例である。カラオケ用アプリケーションプログラムは、コンピュータとしての制御部４１に、ログイン要求を管理サーバ３へ送信するステップと、管理サーバ３から採点入力要求情報を受信するステップと、採点入力要求情報に基づき採点入力画面を表示させるステップと、採点入力画面を通じて入力された採点を示す採点情報を管理サーバ３へ送信するステップと、を実行させることができる。なお、カラオケ用アプリケーションプログラムは、例えば、他のサーバからネットワークＮＷを介してダウンロードされるようにしても良いし、ＣＤ−ＲＯＭ等の記録媒体に記録されてドライブを介して読み込まれるようにしても良い。また、制御部４１は、ユーザによる操作部４４からの指示を受け付ける。ユーザによる指示としては、ユーザＩＤ等の入力、又は採点入力等の指示がある。なお、記憶部４２には、管理サーバ３のＩＰアドレスも記憶されている。これにより、携帯端末Ｔｎは、携帯無線通信部４７、及びネットワークＮＷを介して管理サーバ３へアクセスし、通信することができる。
【００３１】
［２．カラオケシステムＳの動作］
次に、カラオケシステムＳの動作について説明する。
【００３２】
（２−１．コマンダ２と携帯端末Ｔｎとのくくり付け動作）
先ず、図３を参照して、コマンダ２と携帯端末Ｔｎとのくくり付け動作について説明する。図３は、コマンダ２と携帯端末Ｔｎとのくくり付け動作を示すシーケンス図である。
【００３３】
カラオケルームにおいて、リモコン１を持つユーザによる操作部１６の操作により、ログイン画面が表示部１５に表示される（ステップＳ１）。そして、ユーザにより操作部１６からログイン画面を通じてユーザＩＤ及びパスワードが入力されると（ステップＳ２）、リモコン１は、入力されたユーザＩＤ及びパスワードを含むログイン要求をコマンダ２へ送信する（ステップＳ３）。つまり、リモコン１は、このリモコン１に既にくくり付け状態にあるコマンダ２へログイン要求を行う。なお、リモコン１は、ログイン要求を、コマンダ２へ送信する代わりに、管理サーバ３へ送信するように構成してもよい。
【００３４】
コマンダ２は、リモコン１からログイン要求を受信すると、管理サーバ３のＩＰアドレスを用いて管理サーバ３へ、ＬＡＮ、ルータＲ及びインターネットを介してアクセスする。そして、コマンダ２は、リモコン１から受信されたログイン要求を管理サーバ３へ送信する（ステップＳ４）。
【００３５】
管理サーバ３は、コマンダ２又はリモコン１からログイン要求を受信すると、ユーザ認証処理を実行する（ステップＳ５）。このユーザ認証処理では、受信されたログイン要求に含まれるユーザＩＤ及びパスワードの組が登録ユーザリストに記録されているか否かが確認される。そして、ユーザＩＤ及びパスワードの組が登録ユーザリストに記録されている場合、認証成功と判定される。一方、ユーザＩＤ及びパスワードの組が登録ユーザリストに記録されていない場合、認証失敗と判定される。管理サーバ３は、認証成功と判定した場合（ステップＳ６：ＹＥＳ）、受信したユーザＩＤと、このユーザＩＤを送信したコマンダ２のコマンダＩＤと、を対応付けた対応付け情報をコマンダ対応付けリストに記録する（ステップＳ７）。こうして、コマンダ２に対するリモコン１からのログインが完了する。なお、コマンダＩＤは、例えばコマンダ２が管理サーバ３にアクセスした際に管理サーバ３により取得される。そして、管理サーバ３は、認証結果をコマンダ２へ返信する（ステップＳ８）。この認証結果には、認証成功又は認証失敗が示される。
【００３６】
コマンダ２は、管理サーバ３から認証結果を受信すると、認証結果が認証成功であるか否かを確認し、認証成功である場合には（ステップＳ９：ＹＥＳ）、上記受信されたユーザＩＤ及びパスワードを認証結果リストに記録する（ステップＳ１０）。そして、コマンダ２は、上記認証結果をリモコン１へ返信する（ステップＳ１１）。リモコン１は、コマンダ２から認証結果を受信すると、認証結果を表示部１５に表示する（ステップＳ１２）。
【００３７】
次に、同じカラオケルームにおいて、携帯端末Ｔｎを持つユーザによる操作部４４の操作により、カラオケ用アプリケーションプログラムが起動すると、例えばカラオケＷｅｂサイトのログイン画面が表示部４３に表示される（ステップＳ１３）。そして、ユーザにより操作部４４からログイン画面を通じてユーザＩＤ及びパスワードが入力されると（ステップＳ１４）、携帯端末Ｔｎは管理サーバ３のＩＰアドレスを用いて管理サーバ３へ、携帯基地局Ｂ及びネットワークＮＷを介してアクセスする。そして、携帯端末Ｔｎは、ログイン画面を通じて入力されたユーザＩＤ及びパスワードを含むログイン要求を管理サーバ３へ送信する（ステップＳ１５）。なお、ステップＳ１４で携帯端末Ｔｎから入力されるユーザＩＤは、ステップＳ２でリモコン１から入力されるユーザＩＤとは異なるものであってもよい。例えば、リモコン１から入力されるユーザＩＤは、例えばカラオケシステムＳを利用するために会員登録を行ったユーザに対して発行されるＩＤ（以下、「カラオケ用ユーザＩＤ」という）である一方、携帯端末Ｔｎから入力されるユーザＩＤは、携帯端末Ｔｎからアクセス可能な楽曲提供サイトで会員登録を行ったユーザに対して発行されるＩＤ（以下、「携帯端末用ユーザＩＤ」という）である場合が想定されるためのである。この場合、双方のユーザＩＤは、登録ユーザリストに記録される。
【００３８】
管理サーバ３は、携帯端末Ｔｎからログイン要求を受信すると、上記ステップＳ５と同じようにユーザ認証処理を実行する（ステップＳ１６）。そして、ユーザＩＤ及びパスワードの組が登録ユーザリストに記録されている場合、認証成功と判定され（ステップＳ１７：ＹＥＳ）、ステップＳ１８に進む。一方、ユーザＩＤ及びパスワードの組が登録ユーザリストに記録されていない場合、認証失敗と判定される。ステップＳ１８では、管理サーバ３は、携帯端末Ｔｎから受信されたログイン要求に含まれるユーザＩＤが、コマンダ対応付けリストに記録された対応付け情報に含まれるか否かを判定する。そして、管理サーバ３は、ユーザＩＤが対応付け情報に含まれると判定した場合には（ステップＳ１８：ＹＥＳ）、このユーザＩＤにより識別されるユーザの採点システムへのログインを許可し、当該ユーザがログイン中であることを示すログイン情報をログインユーザリストに記録する（ステップＳ１９）。より具体的には、ログインユーザリストにおいて、対応付け情報に含まれると判定されたユーザＩＤに対応付けられたログインフラグが「１」にセットされる。また、このとき、ログイン時刻がログイン履歴としてログインユーザリストに記録される。こうして、採点システムに対する携帯端末Ｔｎからログインが完了する。
【００３９】
なお、携帯端末Ｔｎから入力されるユーザＩＤ（カラオケ用ユーザＩＤ）が、リモコン１から入力されるユーザＩＤ（携帯端末用ユーザＩＤ）とは異なる場合、上記ステップＳ１８で管理サーバ３は、携帯端末Ｔｎから受信されたログイン要求に含まれる携帯端末用ユーザＩＤに対応するカラオケ用ユーザＩＤが、コマンダ対応付けリストに記録された対応付け情報に含まれるか否かを判定する。そして、管理サーバ３は、ユーザＩＤが対応付け情報に含まれると判定した場合には（ステップＳ１８：ＹＥＳ）、このユーザＩＤにより識別されるユーザの採点システムへのログインを許可することになる。なお、「携帯端末用ユーザＩＤに対応するカラオケ用ユーザＩＤ」は、例えば登録ユーザリストから特定することができる。
【００４０】
次いで、管理サーバ３は、上記対応付け情報（つまり、認証成功とされたユーザＩＤを含む対応付け情報）に含まれるコマンダＩＤに対応付けて携帯端末Ｔｎの携帯端末ＩＤを例えばコマンダ対応付けリストに記録する（ステップＳ２０）。これにより、コマンダ２に携帯端末Ｔｎがくくり付けられることになる。なお、携帯端末ＩＤは、例えば、携帯端末Ｔｎに割り当てられたＩＰアドレスと電話番号とから生成される。携帯端末ＴｎのＩＰアドレスは、携帯端末Ｔｎが管理サーバ３にアクセスした際に管理サーバ３により取得される。また、携帯端末Ｔｎの電話番号は、ユーザＩＤをキーとして登録ユーザリストから取得される。一方、管理サーバ３は、ユーザＩＤが対応付け情報に含まれないと判定した場合には（ステップＳ１８：ＮＯ）、ユーザの採点システムへのログインを許可しない。そして、管理サーバ３は、ログイン結果を携帯端末Ｔｎへ返信する（ステップＳ２１）。このログイン結果には、ログイン許可又はログイン不許可が示される。携帯端末Ｔｎは、管理サーバ３からログイン結果を受信すると、ログイン結果を表示部４３に表示する（ステップＳ２２）。
【００４１】
なお、上記動作は、同じカラオケルームを利用するユーザごとに行われる。その結果、各ユーザの携帯端末Ｔｎが、１台のコマンダ２にくくり付けられることになる。つまり、各ユーザの携帯端末Ｔｎの携帯端末ＩＤが、コマンダ２のコマンダＩＤに対応付けられて記録される。
【００４２】
（２−２．採点入力と採点集計動作）
次に、図４を参照して、採点入力と採点集計動作について説明する。図４は、採点入力と採点集計動作を示すシーケンス図である。
【００４３】
カラオケルームにおける各ユーザがログインした後、リモコン１を持つユーザが操作部１６から採点予約を行うと、リモコン１は、採点予約指令をコマンダ２へ送信する（ステップＳ３１）。これにより、コマンダ２において採点予約が受け付けられる。また、各ユーザは、リモコン１から自身のユーザＩＤを選択し、所望のカラオケ曲を選曲すると、選曲されたカラオケ曲の予約指令がコマンダ２へ送信される（ステップＳ３２）。この予約指令には、選曲したユーザのユーザＩＤが付加される。これにより、選曲されたカラオケ曲の予約がコマンダ２により受け付けられる。なお、予約された各カラオケ曲のカラオケ曲番号は、これから歌唱するユーザのユーザＩＤが対応付けられて演奏予約リストに記録される。そして、演奏予約リストに記録された順にカラオケ曲の演奏が開始される（ステップＳ３３）。このとき、カラオケ曲の演奏開始時刻が記録される。カラオケ曲の演奏が終了すると（ステップＳ３４）、審査員として採点入力を促す情報をディスプレイに出力する。これにより、例えば、採点入力お願い表示がなされる。次いで、コマンダ２は、管理サーバ３へアクセスし、カラオケ曲の演奏終了を管理サーバ３へ通知する（ステップＳ３５）。この通知には、コマンダ２のコマンダＩＤが含まれる。なお、この通知に、歌唱したユーザのユーザＩＤ、及びカラオケ曲の演奏開始時刻等が含まれるように構成してもよい。
【００４４】
次いで、管理サーバ３は、コマンダ２からカラオケ曲の演奏終了が通知された場合に、演奏終了を通知したコマンダ２にくくり付けられた携帯端末Ｔｎを例えば携帯端末ＩＤにより特定する（ステップＳ３６）。言い換えれば、演奏終了を通知したコマンダ２のコマンダＩＤに対応付けられた携帯端末ＩＤがコマンダ対応付けリストから抽出される。このように特定される携帯端末Ｔｎは、演奏終了を通知したコマンダ２のコマンダＩＤに対応付けられたユーザＩＤにより識別されるユーザで、且つログイン中であるユーザが使用する携帯端末Ｔｎである。例えば、図１に示す例で、カラオケ曲の演奏終了時にログイン中であるユーザＡ〜Ｄが夫々使用する携帯端末Ｔ１〜Ｔ４が特定される。こうして特定された携帯端末Ｔ１〜Ｔ４のユーザＡ〜Ｄは、審査員として、歌唱に対する採点入力を行うことができる。
【００４５】
なお、上記ステップＳ３６において、管理サーバ３は、歌唱したユーザの携帯端末Ｔｎを、特定する携帯端末Ｔｎから除外するように構成してもよい。この構成の場合、コマンダ２からカラオケ曲の演奏終了が通知される際に、カラオケ曲の演奏中に歌唱したユーザのユーザＩＤが管理サーバ３に通知される。管理サーバ３は、通知されたユーザＩＤに基づき、歌唱したユーザ以外のユーザが使用する携帯端末Ｔｎを特定する。つまり、演奏終了を通知したコマンダ２のコマンダＩＤに対応付けられた携帯端末ＩＤのうち、歌唱したユーザのユーザＩＤ以外のユーザＩＤが対応付けられた携帯端末ＩＤが特定される。例えば、歌唱者がユーザＡであったとすると、ユーザＡ以外のユーザＢ〜Ｄが審査員として歌唱に対する採点入力を行うことができる。これにより、歌唱者が自身の採点を行うことを防止することができる。
【００４６】
また、上記ステップＳ３６において、管理サーバ３は、カラオケ曲の演奏終了が通知された時にログイン中であるユーザで、且つカラオケ曲の演奏開始時にログイン中であったユーザが使用する携帯端末Ｔｎを特定するように構成してもよい。この構成の場合、コマンダ２からカラオケ曲の演奏終了が通知される際に、カラオケ曲の演奏開始時刻が管理サーバ３に通知される。管理サーバ３は、ログインユーザリストを参照して、ログイン中であるユーザのユーザＩＤに対応付けられたログイン時刻（ログイン履歴）がカラオケ曲の演奏開始時刻以前であるユーザＩＤを、演奏開始時及び演奏終了時ともにログインしていたユーザのユーザＩＤとして特定する。そして、管理サーバ３は、演奏終了を通知したコマンダ２のコマンダＩＤに対応付けられた携帯端末ＩＤのうち、特定したユーザＩＤ（つまり、演奏開始時及び演奏終了時ともにログインしていたユーザのユーザＩＤ）が対応付けられた携帯端末ＩＤを特定する。これにより、採点対象曲をフルコーラス聴いたと思われるユーザにのみ採点してもらうことで、採点精度を上げることができる。
【００４７】
また、上記ステップＳ３６において、管理サーバ３は、演奏終了を通知したコマンダ２のコマンダＩＤに対応付けられたユーザＩＤにより識別されるユーザで、且つログイン中であるユーザの人数が所定人数（例えば、３人）より多い場合に、ログイン時間の長いユーザを優先して所定人数選定し、当該選定したユーザが使用する携帯端末Ｔｎを特定するように構成してもよい。この構成の場合、管理サーバ３は、カラオケ曲の演奏開始から演奏終了までの間にログインしているユーザごとにログイン時間を算出する。例えば、演奏終了を通知したコマンダ２のコマンダＩＤに対応付けられたユーザＩＤがコマンダ対応付けリストから抽出される。そして、抽出されたユーザＩＤに対応付けられた直近のログイン時刻がログインユーザリストからユーザＩＤごとに抽出される。そして、抽出されたログイン時刻から現在時刻までの時間がログイン時間としてユーザＩＤごとに算出される。これにより、ログイン中であるユーザが多くて全員が採点入力するまで時間がかかる場合、より長い時間曲を聴いている人を優先して審査員になってもらうことで採点集計待ち時間を減らしつつ、より精度の高い採点をしてもらうことができる。
【００４８】
なお、上記ステップＳ３６において、管理サーバ３は、演奏終了を通知したコマンダ２のコマンダＩＤに対応付けられたユーザＩＤにより識別されるユーザで、且つログイン中であるユーザの人数が所定人数より多い場合に、ログイン時刻の早い順（先着順）にユーザを優先して所定人数選定し、当該選定したユーザが使用する携帯端末Ｔｎを特定するように構成してもよい。
【００４９】
次いで、管理サーバ３は、上記ステップＳ３６で特定した携帯端末Ｔｎの携帯端末ＩＤに基づいて、カラオケ曲の演奏中の歌唱に対する採点入力を行うための採点入力画面を、上記特定した携帯端末Ｔｎに表示させる処理を実行する。この処理では、管理サーバ３から携帯端末Ｔｎへ採点入力要求情報が送信される（ステップＳ３７）。この処理により採点入力画面を携帯端末Ｔｎに表示させる方法としては、以下の（i）〜(iii)の方法が一例として挙げられる。
【００５０】
（i）プッシュ型メール送信により表示させる方法
この方法の場合、管理サーバ３は、上記特定した携帯端末Ｔｎの携帯端末ＩＤに対応付けられているユーザＩＤをキーとして、上述した登録ユーザリストからメールアドレスを取得する。そして、管理サーバ３は、取得したメールアドレス宛てに、採点入力画面を表示するＷｅｂページのＵＲＬ（Uniform Resource Locator）を記述した電子メールを送信する。この電子メールは、採点入力要求情報の一例である。これにより、携帯端末Ｔｎは、送信された電子メールをメールサーバから取得し表示部４３に表示する。そして、携帯端末Ｔｎのユーザは、電子メールに記述されたＵＲＬを操作部４４により指定することでＷｅｂページが例えば管理サーバ３から取得され表示部４３に採点入力画面が表示されることになる。
【００５１】
（ii）Ｗｅｂページにポップアップ表示させる方法
この方法の場合、管理サーバ３は、Ｗｅｂページ（例えば、ユーザのマイページ）を表示する携帯端末Ｔｎへ採点入力画面の表示データを送信することで、このＷｅｂページ上に採点入力画面をポップアップ表示させる。この採点入力画面の表示データは、採点入力要求情報の一例である。また、Ｗｅｂページ（例えば、ユーザのマイページ）は、例えば、採点システムにログインしているユーザＩＤと同じユーザＩＤでログインしているカラオケサービスサイトから提供されるものである。なお、管理サーバ３から携帯端末Ｔｎへの採点入力画面の表示データの送信は、上記特定された携帯端末Ｔｎの携帯端末ＩＤに含まれるＩＰアドレスにしたがって行われる。
【００５２】
（iii）専用カラオケサービスプログラムによるプッシュ通知により表示させる方法
この方法の場合、携帯端末Ｔｎにプッシュ通知受信を行う専用のカラオケサービスプログラムをあらかじめインストールして起動させておく。そして、管理サーバ３は、上記特定した携帯端末Ｔｎの携帯端末ＩＤに含まれるＩＰアドレスにしたがって採点表示プッシュ通知を携帯端末Ｔｎに送信する。採点表示プッシュ通知は、採点入力要求情報の一例である。そして、携帯端末Ｔｎのカラオケサービスプログラムが、採点表示プッシュ通知を受信すると、表示部４３に採点入力画面が表示されることになる。
【００５３】
なお、上記（i）〜(iii)の方法以外の方法で、採点入力画面を携帯端末Ｔｎに表示させるように構成してもよい。
【００５４】
以上のように、携帯端末Ｔｎは、管理サーバ３から送信された採点入力要求情報に基づいて、カラオケ曲の演奏中の歌唱に対する採点入力を行うための採点入力画面を表示部４３に表示する（ステップＳ３８）。そして、ユーザにより操作部４４から採点入力画面を通じて採点入力がなされると（ステップＳ３９）、携帯端末Ｔｎは、入力された採点を示す採点情報及びユーザＩＤを管理サーバ３へ送信する（ステップＳ４０）。
【００５５】
一方、管理サーバ３は、携帯端末Ｔｎから受信した採点情報及びユーザＩＤをコマンダ２へ転送する（ステップＳ４１）。そして、コマンダ２は、管理サーバ３から受信した採点情報及びユーザＩＤをリモコン１へ転送する（ステップＳ４２）。
【００５６】
一方、リモコン１では、上記ステップＳ３１で採点予約指令をコマンダ２へ送信した後、例えばコマンダ２から、上記ステップＳ１０で認証結果リストに記録されたユーザＩＤ等を取得する（ステップＳ４３）。そして、リモコン１では、コマンダ２から取得されたユーザＩＤの数の審査員（例えばアバター）画像を表示する審査員一覧画面を表示する（ステップＳ４４）。そして、例えば携帯端末Ｔｎを所有していないユーザによりリモコン１の操作部１６から採点入力がなされると（ステップＳ４５）、リモコン１は、入力された採点を示す採点情報で画面の表示内容を更新する（ステップＳ４６）。このとき、リモコン１から採点入力したユーザのユーザＩＤが、入力された採点に対応付けられて記録される。一方、リモコン１は、コマンダ２から採点情報及びユーザＩＤを受信すると、受信された採点情報で画面の表示内容を更新する（ステップＳ４７）。なお、ステップＳ４５の採点入力、及びコマンダ２からの採点情報の受信は、集計開始ボタンがユーザにより押下されるまで受け付け可能になっている。そして、集計開始ボタンがユーザにより押下されると（ステップＳ４８）、リモコン１は、上記採点情報を集計する（ステップＳ４９）。例えば採点情報に示される採点点数の平均値又は合計値が集計結果として算出される。そして、リモコン１は、集計した集計結果をコマンダ２へ出力する（ステップＳ５０）。これにより、集計結果が、コマンダ２のディスプレイに表示される（ステップＳ５１）。なお、集計結果は、リモコン１の表示部１５に表示されるように構成してもよい。リモコン１から採点入力を行うユーザがいない場合、採点情報の集計は管理サーバ３で行われるように構成してもよい。この場合、集計結果は、管理サーバ３からコマンダ２に送信されることで、コマンダ２のディスプレイに表示される。また、集計結果は、管理サーバ３から、上記ステップＳ３６で特定された携帯端末Ｔｎへ送信され、表示部４３に表示されるように構成してもよい。
【００５７】
図５は、リモコン１における採点情報受付及び採点集計処理の詳細を示すフローチャートである。この採点情報受付及び採点集計処理は、図４に示すステップＳ４５〜ステップＳ５０の処理の詳細を示すものである。図５に示すステップＳ１０１では、図５に示すような審査員一覧画面５１が表示される。そして、リモコン１は、ユーザにより集計開始ボタン５１ａがユーザにより押下されたか否かを判定する（ステップＳ１０２）。そして、リモコン１は、ユーザにより集計開始ボタン５１ａがユーザにより押下されたと判定した場合には（ステップＳ１０２：ＹＥＳ）、ステップＳ１０３に進む。なお、ステップＳ１０３の処理は上記ステップＳ４９の処理と同様であり、ステップＳ１０４の処理は上記ステップＳ５０の処理と同様であるので、重複する説明を省略する。
【００５８】
一方、ユーザにより集計開始ボタン５１ａがユーザにより押下されていないと判定した場合には（ステップＳ１０２：ＮＯ）、ステップＳ１０５に進む。ステップＳ１０５では、リモコン１は、コマンダ２から採点情報及びユーザＩＤを受信したか否かを判定する。そして、リモコン１は、採点情報及びユーザＩＤを受信したと判定した場合には（ステップＳ１０５：ＹＥＳ）、ステップＳ１１３に進む。一方、リモコン１は、採点情報及びユーザＩＤを受信していないと判定した場合には（ステップＳ１０５：ＮＯ）、ステップＳ１０６に進む。
【００５９】
ステップＳ１０６では、リモコン１は、ユーザにより採点参加ボタン５１ｂ（図５に示す例では、”ゲスト審査員で参加”ボタン）がユーザにより押下されたか否かを判定する。そして、リモコン１は、ユーザにより採点参加ボタン５１ｂがユーザにより押下されていないと判定した場合には（ステップＳ１０６：ＮＯ）、ステップＳ１０２に戻る。リモコン１は、ユーザにより採点参加ボタン５１ｂがユーザにより押下されたと判定した場合には（ステップＳ１０６：ＹＥＳ）、ステップＳ１０７に進む。ステップＳ１０７では、図５に示すような採点入力画面５２が表示され、採点入力待機状態となり、ステップＳ１０８に進む。ステップＳ１０８では、リモコン１は、コマンダ２から採点情報及びユーザＩＤを受信したか否かを判定する。そして、リモコン１は、採点情報及びユーザＩＤを受信していないと判定した場合には（ステップＳ１０８：ＮＯ）、ステップＳ１０９に進む。ステップＳ１０９では、リモコン１は、採点入力画面５２を通じて採点入力が完了したか否かを判定する。そして、リモコン１は、採点入力画面５２を通じて採点入力が完了していないと判定した場合には（ステップＳ１０９：ＮＯ）、ステップＳ１０８に戻る。一方、リモコン１は、採点入力画面５２を通じて採点入力が完了したと判定した場合には（ステップＳ１０９：ＹＥＳ）、採点入力画面５２を閉じて、ステップＳ１１３に進む。なお、図示しないが、採点入力画面５２が表示される前に、リモコン１から採点入力しようとしているユーザのユーザＩＤがリモコン１上で指定できるようになっている。
【００６０】
一方、上記ステップＳ１０８において、リモコン１は、採点情報及びユーザＩＤを受信したと判定した場合には（ステップＳ１０８：ＹＥＳ）、ステップＳ１１１に進む。ステップＳ１１１では、リモコン１は、採点入力画面５２を通じて採点入力しようとしているユーザのユーザＩＤと、上記ステップＳ１０８で受信されたユーザＩＤとを比較する。この比較結果、ユーザＩＤが一致する場合には（ステップＳ１１２：ＹＥＳ）、リモコン１は、採点入力画面５２を閉じて（ステップＳ１１０）、ステップＳ１１３に進む。一方、ユーザＩＤが一致しない場合（ステップＳ１１２：ＮＯ）、つまり、受信されたユーザＩＤのユーザと、採点入力画面５２を通じて採点入力しようとしているユーザが異なる場合、リモコン１は、上記ステップＳ１０８に移行する。ステップＳ１１３では、受信された採点情報、又は採点入力画面５２を通じて入力された採点情報で画面の表示内容を更新する。
【００６１】
以上説明したように、コマンダ２からカラオケ曲の演奏終了が通知された場合に、コマンダ２のコマンダＩＤに対応付けられたユーザＩＤにより識別されるユーザで、且つログイン中であるユーザが使用する携帯端末Ｔｎに、カラオケ曲の演奏中の歌唱に対する採点入力を行うための採点入力画面を表示させるように構成したので、各ユーザが採点入力待ちをすることなく、演奏開始時に席をはずしていたユーザであっても採点入力を行うことができる。
【符号の説明】
【００６２】
１  リモコン
２  コマンダ
３  管理サーバ
Ｔｎ  携帯端末
Ｓ  カラオケシステム
【図１】
0005418555.tif 000002
【図２】
0005418555.tif 000003
【図３】
0005418555.tif 000004
【図４】
0005418555.tif 000005
【図５】
0005418555.tif 000006